(57)【要約】【課題】ユーザのスイッチ操作性を向上する。【解決手段】表示部200の左端に機械式のＳＥＴスイッチ（第１スイッチ）120Aが配置されている。細長い表示部220は左右に二分割され、左半分に第２タッチスイッチ130Bが配置され、右半分に第３タッチスイッチ130Cが配置されている。そして、第２、第３のタッチスイッチ130B、130Cの部分には、アップ／ダウンの三角のシンボル122u、122dが表示される。【選択図】図31
2015082777.tif 000002
【特許請求の範囲】
【請求項１】
マトリックスディスプレイで構成された表示部と、
複数のスイッチとを有し、
前記複数のスイッチの少なくとも一つが前記表示部に設けられたタッチスイッチで構成され、
前記表示部には、前記タッチスイッチの機能を説明するキャラクタ又は文字が表示されることを特徴とする光電センサ。
【請求項２】
前記複数のスイッチが、第１、第２、第３の３つのスイッチで構成され、
前記第１のスイッチが機械式のスイッチであり、
前記第２、第３のスイッチが前記タッチスイッチである、請求項１に記載の光電センサ。
【請求項３】
前記表示部の前記第１のスイッチに隣接した位置に該第１のスイッチの機能を説明するキャラクタ又は文字が表示される、請求項２に記載の光電センサ。
【請求項４】
前記複数のスイッチの全てが前記タッチスイッチで構成されている、請求項１に記載の光電センサ。
【請求項５】
前記複数のスイッチが２つである、請求項４に記載の光電センサ。
【請求項６】
前記複数のスイッチが３つである、請求項４に記載の光電センサ。
【請求項７】
前記タッチスイッチが、前記表示部に表示された設定値を調整する機能を有し、該タッチスイッチに指先を接触させることで、前記表示部に表示された設定値を調整することができる、請求項１〜６のいずれか一項に記載の光電センサ。
【請求項８】
前記タッチスイッチを指先で比較的短時間押す短押し操作と、前記タッチスイッチを指先で比較的長時間押す長押し操作とで異なる機能が前記タッチスイッチに割り付けられている、請求項７に記載の光電センサ。
【発明の詳細な説明】
【技術分野】
【０００１】
本発明は表示手段を備えた光電センサに関する。
【背景技術】
【０００２】
光電センサは、受光した光の受光量によって検出体（以下、「ワーク」という）の有無を検出する第１のタイプと、ワークまでの距離を主体にワークの有無などを検出する第２のタイプとがある。この第２のタイプの光電センサは「距離設定型光電センサ」と呼ばれている。特許文献１、２は第１のタイプを開示している。特許文献３は第２のタイプを開示している。
【０００３】
光電センサの形状によってボックス型（特許文献２）とスリム型（特許文献１、３）とに大別することができる。図３５はボックス型光電センサの典型例として特許文献２に開示の光電センサを示す。図３６はスリム型光電センサの典型例として特許文献３に開示の光電センサを示す。
【０００４】
ボックス型光電センサを開示する図３５を参照して、参照符号１はヘッドユニットを示し、参照符号２はメインユニットを示し、このメインユニット２がボックス型光電センサに相当する。メインユニット２はアンプを内蔵している。ヘッドユニット１はケーブル３ａ、３ｂを介してメインユニット２に接続される。
【０００５】
センサヘッドユニット１はレーザ光を出射し、ワークＷに当たって反射した反射光を受け取る。メインユニット２は、センサヘッドユニット１が受け取った光の受光量（現在値）と、予め設定されているしきい値とを比較してワークの有無を検出する。
【０００６】
メインユニット２は平面視矩形の上面２ａつまり操作面を有し、この上面２ａの中央領域には、共に横方向に延びる第１の表示部４と第２の表示部５とが配置されている。第１、第２の表示部４、５は７セグメントＬＥＤで構成されている。図３５から理解できるように、相対的に上方に位置する第１の表示部４は比較的大きな数字が表示され、他方、下方に位置する第２の表示部５は小さな数字が表示される。
【０００７】
メインユニット２の上面２ａには、また、左上の部分に横並びに配置された複数の表示灯（ＬＥＤ）でバー表示部６が配設され、また、このバー表示部６の下にレーザ出射インジケータ７が配設されている。
【０００８】
メインユニット２の上面２ａには、また、第２表示部５の左にホールドモードインジケータ８ａ、８ｂが配設されている。メインユニット２の上面２ａには、更に、第１、第２の表示部４、５の右に、モードスイッチ９、セッティングスイッチ１０が配設され、また、その下に、左右に並んでアップスイッチ１１ｕ、ダウンスイッチ１１ｄからなる調整スイッチ１１が配設されている。メインユニット２の出力は参照符号１２で示すケーブルを通じて行われる。
【０００９】
スリム型光電センサを開示する図３６を参照して、参照符号２０はヘッドユニットを示し、参照符号２１はメインユニットを示す。このメインユニット２１が距離設定型光電センサに相当する。ヘッドユニット２０は、レーザダイオードで構成された投光素子と、二分割ＰＤ（フォトダイオード）で受光面が構成された受光素子とを有し、一方の分割受光面がＮ側（Near側）受光面を構成し、他方の分割受光面がＦ側（Far側）受光面を構成する。このＮ側受光面の受光量とＦ側受光面の受光量との差が、ヘッドユニット２０からメインユニット２１に第１のケーブル２２を通じて供給される。また、ヘッドユニット２０とメインユニット２１とを接続する第２のケーブル２３を通じて発光素子の駆動制御信号がメインユニット２１からヘッドユニット２０に供給される。
【００１０】
メインユニット２１は、ヘッドユニット２０から受け取ったＮ側受光面の受光量とＦ側受光面の受光量との差（受光量の差）に基づいてワークＷの検出距離を算出する。
【００１１】
メインユニット２１の細長い上面２１ａつまり操作面には、その長手方向中央部分に細長い表示部２４が配設されている。この表示部２４は８桁の７セグメントＬＥＤで構成されている。細長い上面２１ａの長手方向一端部には、検出距離と基準距離との比較結果を表示するためのインジケータ２５が配設されている。また、表示部２４の長手方向一端に隣接して一つのボタンスイッチ２６が配設され、表示部２４の他端に隣接してスイングスイッチ２７が配設され、また、メインユニット２１の他端部には他のボタンスイッチ２８が配設されている。これらのスイッチ２６〜２７を使って表示部２４の表示モードの切り替えや各種の設定又は設定値の調整が可能である。なお、図３６において、参照符号２９は出力ケーブルを示し、また、参照符号３０は蓋を示す。
【００１２】
特許文献１はスリム型光電センサに関し、８桁の７セグメントＬＥＤを二分割して第１、第２の２つの表示部を構成したときに、第１、第２の表示部に表示する項目及びその表示の遷移について詳細に説明している。例えば、第１の表示部に「現在値（受光量）」を数値表示すると共に第２の表示部に「しきい値」を数値表示する例を開示している。
【先行技術文献】
【特許文献】
【００１３】
【特許文献１】JP特開２００５−２１０７２０号公報（特許第4023621号）
【特許文献２】ＵＳＰ 6,555,806号
【特許文献３】JP特開２００７−３３０９７号公報
【発明の概要】
【発明が解決しようとする課題】
【００１４】
特許文献１〜３の詳細な説明及び図３５、図３６から容易に理解できるように、光電センサは、ボックス型（図３５）、スリム型（図３６）のいずれも限られた面積の上面２ａ（図３５）、２１ａ（図３６）に、インジケータ、表示部（７セグメントＬＥＤ）、各種のスイッチを配置している。
【００１５】
ところで、光電センサは、一層の多機能化、また、一層の小型化が進んでいる。この多機能化と小型化が進行する中では、ボタンスイッチの数を増やすことはできない。勿論、ユーザの操作性を悪化させる改良は許されない。ユーザの操作性の観点から、特許文献１〜３に見られるように、限られた数のボタンスイッチの各々に幾つかの機能を割り付け、また、７セグメントＬＥＤを使った表示部に表示する数値の遷移や、各数値の意味を目視で理解できるように７セグメントＬＥＤで表示可能なキャラクタを表示する等の様々な努力が払われている。その典型的な例が、特許文献１に開示の８桁の７セグメントＬＥＤを二分割して異なる種類の項目（情報）を同時表示させる、また、限られた数のスイッチを操作することで表示部に表示する項目（情報）を遷移させ、また、表示された設定値を調整する、などである。
【００１６】
しかし、一つのボタンスイッチに複数の機能を割り付けた場合、ユーザは、操作すべき特定のボタンスイッチを各表示画面毎に記憶しておく必要がある。
【００１７】
本発明の目的は、光電センサに搭載されている表示部での表示の自由度を高め、この表示の自由度をユーザのスイッチ操作性の向上に貢献させることのできる光電センサを提供することにある。
【課題を解決するための手段】
【００１８】
上記の技術的課題を達成すべく、本発明の光電センサの第１の特徴は、表示部としてドットマトリックス方式のディスプレイを採用した点にある。その典型例が液晶ディスプレイである。ドットマトリックス方式のディスプレイを採用することにより、７セグメントＬＥＤに比べて比較にならないほど表示の自由度を手にすることができる。
【００１９】
現在、タッチパネルが普及している。本発明は、このタッチパネルで構成されるタッチスイッチを表示部に設けたことを第２の特徴とする。光電センサに組み込まれるスイッチの全てをタッチスイッチで構成してもよいし、その一部をタッチスイッチで構成してもよい。タッチスイッチを採用することにより、光電センサの上面（操作面）の設計上の自由度を向上することができる。例えば、光電センサを一層小型化できる、あるいは表示部を拡大するなどが可能となる。
【００２０】
本発明は、タッチスイッチの機能を説明する文字やキャラクタを表示することを第３の特徴とする。ユーザは、表示部に表示される文字やキャラクタによってタッチスイッチの機能を知ることになる。したがって、ユーザは各表示画面毎に操作すべきスイッチとその機能を記憶しておく必要が無くなる。光電センサに含まれるスイッチの全てをタッチスイッチで構成してもよいし、その一部を機械式のスイッチで構成してもよい。機械式のスイッチを含む場合、当該機械式スイッチに隣接した位置に当該機械式スイッチの機能を説明する文字やキャラクタを表示するのがよい。また、従来から、光電センサでは、スイッチを短時間押し下げる短押し操作と、比較的長時間（例えば３秒以上）押し下げる長押し操作とが採用されている。本発明にあっても、短押し操作と長押し操作を含んでいてもよい。この短押しと長押しを表示部に表示してもよい。
【００２１】
本発明の他の目的及び本発明の作用効果は以下の本発明の詳しい説明から明らかになろう。
【図面の簡単な説明】
【００２２】
【図１】光電センサの表示部の表示に適用可能な表示例をボックス型光電センサの矩形の表示部を例に説明するための図である。
【図２】光電センサの表示部の表示に適用可能な他の表示例をボックス型光電センサの矩形の表示部を例に説明するための図である。
【図３】ボックス型光電センサの矩形の表示部の表示に好適な表示例を説明するための図である。
【図４】ボックス型光電センサの矩形の表示部の表示に好適な他の表示例を説明するための図である。
【図５】図４に図示の表示例の変形例を説明するための図である。
【図６】図５に図示の表示例の変形例を説明するための図である。
【図７】図６に図示の表示例の変形例を説明するための図である。
【図８】ボックス型光電センサの表示部の一部にタッチスイッチの機能を付加したスイッチの配置例を説明するための図である。
【図９】ボックス型光電センサの表示部の一部にタッチスイッチの機能を付加したスイッチの他の配置例を説明するための図である。
【図１０】ボックス型光電センサの表示部の一部にタッチスイッチの機能を付加したスイッチの別の配置例を説明するための図である。
【図１１】ボックス型光電センサの表示部の一部にタッチスイッチの機能を付加したスイッチの更に別の配置例を説明するための図である。
【図１２】スリム型光電センサの表示部の表示に好適な表示例を説明するための図である。
【図１３】スリム型光電センサの表示部の表示に好適な他の表示例を説明するための図である。
【図１４】スリム型光電センサの表示部の表示に好適な別の表示例を説明するための図である。
【図１５】図１４に図示の表示例の変形例を説明するための図である。
【図１６】図１３に図示の表示例の変形例を説明するための図である。
【図１７】スリム型光電センサの細長い表示部の一部にタッチスイッチの機能を付加したスイッチの配置例を説明するための図である。
【図１８】スリム型光電センサの細長い表示部の一部にタッチスイッチの機能を付加したスイッチの別の配置例を説明するための図である。
【図１９】実施例のボックス形状の距離設定型光電センサの操作面（上面）を上から見た図である。
【図２０】実施例の光電センサの入出力線の接続によって設定可能な８つの入出力の態様を説明するための図である。
【図２１】実施例の光電センサの初期設定画面の遷移と設定に必要とされるボタン操作を説明するための図である。
【図２２】アナログ上限値及び／又はアナログ下限値の設定を説明するための図である。
【図２３】検出モードに含まれるＤＡＴＵＭモードの動作としきい値設定方法を説明するための図である。
【図２４】検出モードに含まれる距離モードの動作と、しきい値設定方法（２点チューニング）を説明するための図である。
【図２５】距離モードでの他のしきい値設定方法（フルオートチューニング）を説明するための図である。
【図２６】距離モードでの別のしきい値設定方法（１点チューニング）を説明するための図である。
【図２７】検出モードに含まれるウィンドウモードの動作と、しきい値設定方法（２点チューニング）を説明するための図である。
【図２８】ウィンドウモードでの他のしきい値設定方法（１点チューニング）を説明するための図である。
【図２９】運用（ＲＵＮ）モードでの表示部の表示態様の設定方法と各表示態様での画面構成を説明するための図である。
【図３０】実施例の光電センサが運用（ＲＵＮ）モードで動作している最中に直接的にしきい値の調整及び再設定を可能にするマニュアルチューニングの操作を説明するための図である。
【図３１】光電センサの表示部のタッチスイッチの配置例を説明するための図である。
【図３２】光電センサに必要とされるスイッチ機能を表示部のタッチスイッチで構成する例を説明するための図である。
【図３３】３つのスイッチを備えた光電センサのタッチスイッチの配置例を説明するための図である。
【図３４】３つのスイッチを備えた光電センサのタッチスイッチの他の配置例を説明するための図である。
【図３５】特許文献２から抜粋した従来のボックス型光電センサの斜視図である。
【図３６】特許文献３から抜粋した従来のスリム型光電センサの斜視図である。
【発明を実施するための形態】
【実施例】
【００２３】
以下に、添付の図面に基づいて本発明の好ましい実施例を説明する前に、本発明の概念構成を説明する。本発明は光電センサの表示部をドットマトリックス方式のディスプレイを採用した点に第１の特徴がある。ドットマトリックス方式のディスプレイの典型例は液晶ディスプレイ（ＬＣＤ）であるが、有機ＥＬディスプレイであってもよい。勿論、白黒ディスプレイであってもよいが、典型的にはカラーディスプレイが採用される。
【００２４】
ボックス型の表示例（図１〜図７）：
図１〜図７の参照符号１００は、図３５を参照して説明したボックス型光電センサに好適に採用可能な矩形の表示部を示し、この矩形の表示部１００はドットマトリックス方式のディスプレイ（具体的には液晶ディスプレイ）で構成される。
【００２５】
図１の表示例は、表示部１００の大部分の面積を占める主領域１０２に数値又は文字が表示される。この表示例によれば、例えば４〜６桁の数値を横並びに大きく表示することができる。この表示の典型例が光電センサを運用（ＲＵＮ）している最中での現在値（距離や受光量）である。勿論、主領域１０２に数値情報を大きな数字で表示する場合に、その左又は右に、この数値の意味やこの数値に関連する状態などを意味する文字情報などのキャラクタを表示するようにしてもよい。
【００２６】
また、この主領域１０２に文字情報を表示する場合には数多くの文字を表示することができる。この主領域１０２に文字情報を表示するときには、主領域１０２の側方位置に例えば現在値や設定値を小さな数字で表示するのがよい。
【００２７】
図２の表示例は、表示部１００に向かってその左側を残して大部分の面積を占める主領域１０４と、主領域１０４の一側、例えば左側に隣接して且つ主領域１０４とは干渉しない位置にサブ領域１０６を配置した例を示す。このサブ領域１０６は図示のように上下に互いに干渉しない配置で第１、第２のサブ領域１０６Ａ、１０６Ｂに二分割してもよい。
【００２８】
この図２の表示例では、典型的には主領域１０４にユーザが最も必要とするメイン数値情報が大きく表示され、サブ領域１０６には、ユーザが参考にしたいサブ数値情報が相対的に小さく表示される。この表示の典型例が光電センサの設定値（しきい値）を変更するときの表示態様である。主領域１０４に時々刻々変化する現在値（距離又は受光量）を表示する一方で、しきい値を第１又は第２のサブ領域１０６Ａ、１０６Ｂに表示すればよい。しきい値が２つ有る場合には、第１のしきい値を第１サブ領域１０６Ａに表示し、第２のしきい値を第２サブ領域１０６Ｂに表示すればよい。
【００２９】
また、この図２の表示例では、エラー及びワーニング、上位機器側との通信状態などを文字情報で表示するのに好適である。この文字情報を主領域１０４に表示しつつ、文字情報に関連する数値情報や現在値やしきい値を、サブ領域１０６を使って表示することができる。
【００３０】
勿論、第１、第２のサブ領域１０６Ａ、１０６Ｂのいずれか一方の領域に文字情報を表示し、他方の領域に数値情報を表示してもよい。また、主領域１０４や第１及び／又は第２のサブ領域１０６Ａ、１０６Ｂに数値情報を表示するときには、その左又は右に、この数値の意味を意味するキャラクタを表示するようにしてもよい。
【００３１】
図３の表示例は、表示部１００を上下に二分割して第１、第２の領域１０８Ａ、１０８Ｂを配置し、この第１、第２の領域１０８Ａ、１０８Ｂに同じ大きさの異なる数値情報を表示してもよい。また、第１、第２の領域１０８Ａ、１０８Ｂの左側の空いたスペースに文字や符号などのキャラクタを表示する領域を付加してもよい。勿論、第１、第２の領域１０８Ａ、１０８Ｂに表示の数値情報の左又は右に、この数値の意味を意味するキャラクタを表示するようにしてもよい。
【００３２】
図４の表示例は、表示部１００の大部分を占める主領域１１０と、その下に位置するサブ領域１１２とに分け、主領域１１０にユーザが最も必要とするメイン数値情報を大きな数字で表示し、ユーザが参考にしたいサブ的な情報（数値又は文字）をサブ領域１１２に相対的に小さな数字で表示するのに好都合である。また、主領域１１０及びサブ領域１１２の左側の空いたスペースに文字や符号などのキャラクタを表示する領域を付加してもよい。また、図４に矢印で示すように、サブ領域１１２を上に配置し、主領域１１０を下に配置してもよい。
【００３３】
図５の表示例は、図４の表示例の変形例でもある。図４を参照して説明したサブ領域１１２を横並びに且つ互いに干渉しない配置で第１、第２のサブ領域１１２Ａ、１１２Ｂに分割してもよい。また、主領域１１０の左側の空いたスペースに文字などのキャラクタを表示する領域を付加してもよい。また、図５に矢印で示すように、第１、第２のサブ領域１１２Ａ、１１２Ｂを上に配置し、主領域１１０を下に配置してもよい。
【００３４】
図６の表示例は、図５の表示例の変形例でもある。図６から分かるように、第１、第２のサブ領域１１２Ａ、１１２Ｂを上下に配置してもよく、また、この第１、第２のサブ領域１１２Ａ、１１２Ｂを左右にオフセットして配置してもよい。勿論、第１、第２のサブ領域１１２Ａ、１１２Ｂの夫々に異なる数値情報を表示してもよいが、第１、第２のサブ領域１１２Ａ、１１２Ｂのいずれか一方に数値情報を表示し、他方に文字情報を表示してもよい。また、主領域１１０及び第１、第２のサブ領域１１２Ａ、１１２Ｂの左側の空いたスペースに文字などのキャラクタを表示する領域を付加してもよい。また、図６に矢印で示すように、第１、第２のサブ領域１１２Ａ、１１２Ｂの少なくとも一つの領域を主領域１１０の上に配置し、その下に主領域１１０を配置してもよい。
【００３５】
図７の表示例は、図６の表示例の変形例でもある。図７から分かるように、この表示例は、第１、第２のサブ領域１１２Ａ、１１２Ｂを上下に配置すると共に、この第１、第２のサブ領域１１２Ａ、１１２Ｂは、上下に整列した状態で表示する例を示す。この図７の表示例においても、主領域１１０の左側の空いたスペースに文字などのキャラクタを表示する領域を付加してもよい。また、第１、第２のサブ領域１１２Ａ、１１２Ｂの左側の空いたスペースに文字などのキャラクタを表示する領域を付加してもよい。また、図７に矢印で示すように、第１、第２のサブ領域１１２Ａ、１１２Ｂの少なくとも一つの領域を主領域１１０の上に配置し、その下に主領域１１０を配置してもよい。
【００３６】
図４〜図７の表示例においても、主領域１１０及びサブ領域１１２に表示の数値情報の左又は右に、この数値の意味を意味する文字や符号などのキャラクタを表示するようにしてもよいのは言うまでもない。
【００３７】
図７を再び参照して、図７に図示の表示例は矩形の表示部１００を上下三段で情報表示することを提案している。最も上の段のメイン表示領域１１０には、典型的には現在値が表示される。中段の第１サブ領域１１２Ａには、典型的には設定値（しきい値）が表示される。これら現在値やしきい値は桁数がこの例では４桁である。設定値の数字を現在値の数字よりも小さく表示した場合、中段の下にブランクが発生する。このブランクを使って、前述した下段の第２サブ領域１１２Ｂに第２の設定値を表示してもよい。また、この第２サブ領域１１２Ｂを表示部１００の幅方向の一端部から他端部まで設定した場合には、この第２サブ領域１１２Ｂを使って文字情報を表示してもよい。勿論、文字情報を構成する文字数（ターム数）が多い場合には、この第２サブ領域１１２Ｂに適合した文字サイズを選択すればよい。文字数（ターム数）が多い場合には文字サイズが小さくなるが、ユーザが目をこらさずに読み取れる程度の文字サイズであればユーザは文字列を直ちに認識することができる。
【００３８】
勿論、第２サブ領域１１２Ｂに表示する文字情報は表示画面によって様々である。ユーザの注意を促す、例えば警告表示などの表示は大きなサイズの文字を採用してもよいが、このような特別な場合を除いて、第２サブ領域１１２Ｂに表示する文字情報の文字サイズは統一するのがよい。
【００３９】
図１〜図７を参照して上述した表示例は、表示部１００に表示した情報によって適宜使い分ければよい。従来から各種のスイッチを使って表示部１００の表示の切り替えや光電センサの動作モードの切り替えが行われているが、この表示の切り替えや動作モードの変更に伴って、ユーザが視認し易い表示形態を適宜採用してもよい。
【００４０】
光電センサの動作モードの切り替え、表示情報の遷移、設定値の調整などは従来から機械的なスイッチを使って行われている。その典型例がボタン（プッシュ）式のスイッチであり、また、設定値の調整ではスイング式のスイッチも使われている。このスイッチの数が多くなるほど、表示部１００が占める面積を相対的に小さくせざるを得ない。換言すれば、機械的なスイッチの数が少ないほど表示部１００が占める面積を相対的に拡大することができる又は光電センサを一層小型化する設計上の自由度を手にすることができる。
【００４１】
ボックス型でのタッチスイッチの構成例（図８〜図１１）：
現在、タッチパネルが普及している。このタッチパネルは液晶ディスプレイとタッチスイッチのような位置入力装置を組み合わせたディスプレイであり、感圧式、静電容量式が普及している。タッチパネルは「タッチスクリーン」又は「タッチ画面」とも呼ばれている。
【００４２】
表示部１００の全域をタッチパネルで構成してもよいが、その一部にタッチスイッチを配置して部分的にタッチパネルの機能を付加してもよい。図８〜図１１はタッチスイッチ１３０の配置例を説明するための図である。図８は、表示部１００の左側部に第１のタッチスイッチ１３０Ａを配置し、この第１のタッチスイッチ１３０Ａに第１のスイッチ１２０Ａの機能を割り付けた例を示す。図８には、表示部１００の下に、第２、第３のボタン式（機械式）のスイッチ１２０Ｂ、１２０Ｃを横並びに配置した例が図示されているが、この第２、第３のスイッチ１２０Ｂ、１２０Ｃを表示部１００の右に縦並びに配置してもよい。
【００４３】
図９は、第１、第２、第３の３つのタッチスイッチ１３０Ａ、１３０Ｂ、１３０Ｃを配置した例を示す。第２のタッチスイッチ１３０Ｂには、ボタン式の第２のスイッチ１２０Ｂの機能が割り付けられ、第３のタッチスイッチ１３０Ｃには、ボタン式の第３のスイッチ１２０Ｃの機能が割り付けられる。図９に開示の例は、表示部１００の左側部に第１のタッチスイッチ１３０Ａを配置し、第２、第３のタッチスイッチ１３０Ｂ、１３０Ｃを表示部１００の下端部に横並びに配置した例を示す。この図９に図示の配置例の変形例として、第２、第３のタッチスイッチ１３０Ｂ、１３０Ｃを表示部１００の右側部に縦並びに配置してもよい。また、第１のタッチスイッチ１３０Ａを表示部１００の下端部に配置してもよい。
【００４４】
図１０は、表示部１００の下方に第１のスイッチ１２０Ａを配置し、矩形の表示部１００の右側部に第２、第３のタッチスイッチ１３０Ｂ、１３０Ｃを縦並びに配置した例を示す。この図１０の配置例の変形例として、第２、第３のタッチスイッチ１３０Ｂ、１３０Ｃを表示部１００の下端部に横並びに配置してもよい。
【００４５】
図１１は、表示部１００の下端部の左側に第１のタッチスイッチ１３０Ａを配置し、表示部１００の右側部に第２、第３のタッチスイッチ１３０Ｂ、１３０Ｃを縦並びに配置した例を示す。第１のタッチスイッチ１３０Ａは、表示部１００の上端部に配置してもよい。
【００４６】
ボタン式の第１のスイッチ１２０Ａと第１タッチスイッチ１３０Ａとは等価であり、例えば３秒以上の長押し又は１秒以下の短押しによって表示を切り替える機能が付与される。また、ボタン式の第２スイッチ１２０Ｂと第２タッチスイッチ１３０Ｂとは等価であり、例えば、表示部１００に表示されている選択可能な項目を一つずつ上に移行させる又は表示部１００に表示の数値（典型的には設定値）を大きくするアップ機能が付与される。ボタン式の第３スイッチ１２０Ｃと第３タッチスイッチ１３０Ｃとは等価であり、例えば、表示部１００に表示されている選択可能な項目を一つずつ下に移行させる又は表示部１００に表示の数値（典型的には設定値）を小さくするダウン機能が付与される。
【００４７】
表示部１００の少なくとも一部にタッチパネルの機能を付加することで、機械式のスイッチの設置を省くことができ、これに伴って表示部１００を拡大させる自由度を手にすることができる。
【００４８】
スリム型の表示例（図１２〜図１６）：
図１２〜図１６の参照符号２００はスリム型光電センサに好適に採用可能な細長い表示部を示し、この細長い表示部２００はドットマトリックス方式のディスプレイ（具体的には液晶ディスプレイ）で構成される。
【００４９】
図１２の表示例では、細長い表示部２００の大部分の面積を占める主領域２０２に数値又は文字が表示される。この表示例によれば、例えば４〜８桁の数値を横並びに大きく表示することができる。この表示の典型例が光電センサを運用（ＲＵＮ）している最中での現在値（距離や受光量）である。勿論、数値の左又は右に、この数値の意味やこの数値に関連する状態などを意味するキャラクタを表示するようにしてもよい。また、この主領域２０２に文字情報を表示する場合には数多くの文字を表示することができる。この主領域２０２に文字情報を表示するときには、主領域２０２の横に例えば現在値や設定値を比較的小さな数字で表示するサブ領域２０４を配置するのがよい（図１３）。
【００５０】
図１４に図示の表示例は、細長い表示部２００の中央部分を占める主領域２０６と、主領域２０６の右側に隣接してサブ領域２０８を配置した例を示す。このサブ領域２０８は図示のように上下に第１、第２のサブ領域２０８Ａ、２０８Ｂに二分割してもよい。この図１４の表示例では、典型的には主領域２０６に、ユーザが最も必要とするメイン数値情報が大きく表示され、サブ領域２０８には、ユーザが参考にしたいサブ数値情報が相対的に小さく表示される。この表示の典型例が光電センサの設定値（しきい値）を変更するときの表示態様である。主領域２０６に時々刻々変化する現在値（距離又は受光量）を表示する一方で、しきい値を第１又は第２のサブ領域２０８Ａ、２０８Ｂに表示すればよい。しきい値が２つ有る場合には、第１のしきい値を第１サブ領域２０８Ａに表示し、第２のしきい値を第２サブ領域２０８Ｂに表示すればよい。
【００５１】
図１５は、図１４に図示の表示例の変形例である。この図１５に図示の表示例では、細長い表示部２００の右側に主領域２０６が配置され、この主領域２０６の左側にサブ領域２０８が配置されている。
【００５２】
図１６は、図１３に図示の表示例の変形例である。図１３に図示の表示例では、主領域２０２に文字情報を表示するときに、主領域２０２の左に比較的小さな数字で数値表示するサブ領域２０４が配置されるが、このサブ領域２０４を主領域２０２の右に配置してもよい（図１６）。また、図１６では、このサブ領域２０４に比較的大きな数字で数値表示される。このことは図１３に図示のサブ領域２０４にも採用可能である。勿論、このサブ領域２０４に比較的小さな数字で数値表示するようにしてもよい。
【００５３】
スリム型でのタッチスイッチの構成例（図１７、図１８）：
図１７は、細長い表示部２００の一部にタッチスイッチを配置して部分的にタッチパネルの機能を付加した例を示す。勿論、細長い表示部２００の全域をタッチパネルで構成してもよい。図１７は、表示部２００の左端部に第１タッチスイッチ１３０Ａを配置し、この第１タッチスイッチ１３０Ａに第１のスイッチ１２０Ａの機能を割り付けた例を示す。この図１７の例では、表示部２００の右端に隣接して、機械的なスイングスイッチ１２０Ｂ＆Ｃを配置するのがよい。
【００５４】
図１８は、表示部２００の左端部に第２タッチスイッチ１３０Ｂを配置し、右端部に第３のタッチスイッチ１３０Ｃを配置した例を示す。この図１８の例では、表示部２００の左端に隣接して第１のスイッチ１２０Ａを配置するのがよい。
【００５５】
実施例（図１９など）：
図１９は実施例の光電センサ３００の平面図である。この光電センサ３００は距離設定型光電センサであり且つボックス型である。前述した特許文献３（JP特開２００７−３３０９７号公報）はスリム型の距離設定型光電センサであるが、光電センサ３００の内部構成は特許文献３（JP特開２００７−３３０９７号公報）と実質的に同じであることから、この特許文献３の開示を本明細書に援用して、その詳しい説明は省略する。
【００５６】
図１９を参照して、光電センサ３００の上面３００ａつまり操作面には、図１〜図７を参照して説明した矩形の表示部１００が配設されている。そして、表示部１００の左にはボタン式（機械的な）の第１のスイッチ１２０Ａが配設されている。この第１のスイッチ１２０Ａを、この実施例では「ＳＥＴスイッチ」と呼ぶ。勿論、この機械式の第１スイッチ１２０Ａをタッチスイッチで構成してもよい。
【００５７】
表示部１００の下部には、横並びに第２、第３タッチスイッチ１３０Ｂ、１３０Ｃが配置されている。左側に位置する第２タッチスイッチ１３０Ｂを「ＤＩＳＰスイッチ」又は「アップスイッチ」と呼び、他方、相対的に右側に位置する第３タッチスイッチ１３０Ｃを「ＭＥＮＵスイッチ」又は「ダウンスイッチ」と呼ぶ。
【００５８】
引き続き図１９を参照して、光電センサ３００の上面３００ａの左端部には出力表示灯３０２が配設されている。光電センサ３００の入出力はケーブル３０４を通じて行われる。ここに、実施例の光電センサ３００は、出力動作を行わずに、検出した距離を表示部１００に表示するだけの機能を備えている。
【００５９】
なお、図１９は、表示部１００の下端部において、アップスイッチ１３０Ｂとダウンスイッチ１３０Ｃの部分に三角印のアップ、ダウンのキャラクタ１２２を表示した例を示している。このアップシンボル１２２ｕ、ダウンシンボル１２２ｄのキャラクタ１２２は、後に説明するしきい値調整や表示メニューの選択など第２、第３のタッチスイッチ１３０Ｂ、１３０Ｃを数値や選択のためのアップダウン操作に使用する際に限定して表示部１００に表示するようにしてもよいし、点滅や表示色を変えるなどユーザの注目を引きつける表示方法を採用してもよい。
【００６０】
図２０を参照して、実施例の光電センサ３００は、その入力ケーブル３０４に含まれる第１、第２の入出力線３０６（黒線）、３０８（白線）の接続方法を変えることで８つの入出力の態様から一つを設定することができる。図２０の参照符号３１０は電源線（茶）を示し、参照符号３１２はアース線（青）を示す。また、参照符号３１４は入力負荷を示す。
【００６１】
図２０を引き続き参照して、（１）「Ｏｕｔ１＋Ｏｕｔ２」では、黒線３０６を出力１に割り当てることができ、白線３０８を出力２に割り当てることができる。（２）「Ｉｎｐｕｔ＋Ｏｕｔ１」では、黒線３０６を外部入力に割り当てることができ、白線３０８を出力１に割り当てることができる。（３）「Ｏｕｔ１＋Ａｎａｌｏｇ」では、黒線３０６を出力１に割り当てることができ、白線３０８をアナログ出力に割り当てることができる。（４）「Ｉｎｐｕｔ＋Ａｎａｌｏｇ」では、黒線３０６を外部入力に割り当てることができ、白線３０８をアナログ出力に割り当てることができる。
【００６２】
初期設定（図２１、図２２）：
ユーザが光電センサ３００を入手した後、初めて電源を投入するとき又は初期化を実行したときに初期設定を求める画面が表示部１００に表示される。図２１を参照して初期設定を説明する。表示部１００には、先ず、入出力を選択する画面が表示される（Ｓ１）。図２０を参照して説明した入出力の配線に相当する入出力態様を、このステップＳ１で選択する。
【００６３】
具体的には、ＳＥＴスイッチ１２０Ａを短押し（１秒以下の短い時間押し下げる）すると、表示部１００に「Ｏｕｔ１＋Ｏｕｔ２」、「Ｉｎｐｕｔ＋Ｏｕｔ１」、「Ｏｕｔ１＋Ａｎａｌｏｇ」、「Ｉｎｐｕｔ＋Ａｎａｌｏｇ」の一覧が上下に並んで表示される。ユーザは、アップスイッチ１３０Ｂ又はダウンスイッチ１３０Ｃを押し下げることで該当する入出力態様を選択することができる。所望の入出力態様を選択したらＳＥＴスイッチ１２０Ａを短押しすることで、その設定が行われ、表示部１００には設定された入出力態様が文字表示（例えば「Ｏｕｔ１＋Ｏｕｔ２」）される。この設定によって、図２０を参照して説明したように黒線３０６、白線３０８に対する割り当てが実行される。
【００６４】
ダウンスイッチ１３０Ｃを押し下げると次の画面に切り替わる。図中Ｓ２は、「Ｏｕｔ１＋Ｏｕｔ２」又は「Ｉｎｐｕｔ＋Ｏｕｔ１」の入出力態様が設定された場合の画面を示す。Ｓ３は、「Ｏｕｔ１＋Ａｎａｌｏｇ」、「Ｉｎｐｕｔ＋Ａｎａｌｏｇ」の入出力態様が設定された場合の画面を示す。
【００６５】
図中、Ｓ２で示す画面によって入力の選択を行うことができる。他方、Ｓ３に示す画面によってアナログ入力が電流か電圧かを設定することができる。このＳ３に続くＳ４、Ｓ５は後に説明する詳細設定で行うようにしてもよいが、この実施例では初期設定の中に含まれる。
【００６６】
ステップＳ４の画面によってアナログ下限値を設定することができる。他方、ステップＳ５の画面によってアナログ上限値を設定することができる。Ｓ４又はＳ５に表示されている数値を変更したいときには、ＳＥＴスイッチ１２０Ａを短押し（１秒以下押し下げる）、次いでアップスイッチ１３０Ｂ又はダウンスイッチ１３０Ｃを押し下げることで表示の数値を変化させる。所望の数値になったらＳＥＴスイッチ１２０Ａを押し下げることにより、当該数値が設定される。図２２は、アナログ上限値、アナログ下限値の設定を説明するための図である。初期設定値が、４ｍＡに対して「０」（下限値）、２０ｍＡに対して「５０００」（上限値）であるときに、ユーザの手で４ｍＡに対して「２０００」（下限値）、２０ｍＡに対して「４０００」（上限値）を設定した例を示す。
【００６７】
上限値、下限値の設定が完了したら、ダウンスイッチ１３０Ｃを押し下げることにより次のＳ６の画面に切り替わる。このＳ６の画面を使ってＮＰＮ又はＰＮＰの設定を行うことができる。
【００６８】
上記のＳ１〜Ｓ６の設定画面によって各種の設定を完了した後にダウンスイッチ１３０Ｃを押し下げるとＳ７の終了画面が表示される。なお、Ｓ１〜Ｓ６の設定画面に戻りたいときにはアップスイッチ１３０Ｂを押し下げればよい。Ｓ７の終了画面が表示されているときに、ＳＥＴスイッチ１２０Ａを短押しすることで、光電センサ３００はその動作が運用（ＲＵＮ）モードに切り替わる。
【００６９】
検出モード（図２３〜図２８）：
光電センサ３００は、運用（ＲＵＮ）モード（検出モード）として、「ＤＡＴＵＭモード」、「距離モード」、「ウィンドウモード」を含んでいる。この検出モードの選択及び設定は後に説明する詳細設定モードに光電センサの動作を切り替えて、この詳細設定モードで行うことができる。
【００７０】
ＤＡＴＵＭモード（図２３）：
このＤＡＴＵＭモードは、後に説明する詳細設定モードで、光電センサ３００の検出モードの選択肢から「Ｓｔａｎｄａｒｄ」を選択することで設定される。
（１）運用（ＲＵＮ）時の動作：
このＤＡＴＵＭモードでは、任意の背景つまり基準面を「０」として、この基準面からの高さが表示部１００に表示される。そして、基準面を挟んでNear側の第１のしきい値（Ａ）とFar側の第２のしきい値（−Ａ）とで出力が反転される。
【００７１】
図２３に図示の「N.O.」はノーマルオープンを意味し、第１、第２のしきい値の間にワークが位置しているときにはＯＦＦ信号が出力され、第１しきい値（Ａ）より近位（Near）及び第２しきい値（−Ａ）よりも遠位（Far）にワークが位置しているときにはＯＮ信号が出力される。
【００７２】
図示の「N.C.」はノーマルクローズを意味し、第１、第２のしきい値の間にワークが位置しているときにはＯＮ信号が出力され、第１しきい値（Ａ）より近位（Near）及び第２しきい値（−Ａ）よりも遠位（Far）にワークが位置しているときにはＯＦＦ信号が出力される。
【００７３】
（２）設定：
図２３を引き続き参照して、基準面ＢＳを位置決めした後に先ずＳＥＴスイッチ１２０Ａを短押しし、次に長押しすることで、この基準面ＢＳを挟んで第１、第２のしきい値が設定される。この第１、第２のしきい値（Ａ、−Ａ）を自動設定する基準面ＢＳからの距離「Ａ」の値を変更したいときには、後に説明する詳細設定で行うことができる。また、ヒステリシス（Ｈｙｓ）についても、その値の変更を詳細設定で行うことができる。
【００７４】
ＤＡＴＵＭモードは、ユーザが単にＳＥＴスイッチ１２０Ａを長押しするだけで設定が完了する。勿論、この設定が完了した直後から光電センサ３００はＲＵＮモードに復帰してＤＡＴＵＭモードで動作する。
【００７５】
距離モード（図２４〜図２６）：
この距離モードは、後に説明する詳細設定モードで、光電センサ３００の検出モードの選択肢から「距離」を選択することで設定される。
（１）運用（ＲＵＮ）時の動作（図２４）：
図２４を参照して、距離モードでは、光電センサ３００からワークまでの距離が検出され、この検出した距離が表示部１００に表示される。そして、しきい値（Ａ）との対比で、ノーマルオープン（N.O.）の場合、しきい値（Ａ）よりも遠位(Far)にワークが位置しているときにＯＦＦ信号が出力され、しきい値（Ａ）より近位（Near）にワークが位置しているときにはＯＮ信号が出力される。ノーマルクローズ（N.C.）の場合には、その逆に、しきい値（Ａ）よりも遠位(Far)にワークが位置しているときにはＯＮ信号が出力され、しきい値（Ａ）よりも近位(Near)にワークが位置しているときにはＯＦＦ信号が出力される。
【００７６】
（２）設定：
距離モードでのしきい値の設定方法は、（Ａ）２点チューニング法、（Ｂ）フルオートチューニング法、（Ｃ）１点チューニング法の３種類が用意されている。
【００７７】
(Ａ)２点チューニング法：
図２４を参照して、ワークＷを遠位(Far)に位置決めした後にＳＥＴスイッチ１２０Ａを短押しする。次に、ワークＷを近位(Near)に位置決めした後にＳＥＴスイッチ１２０Ａを短押しする。これにより、遠位(Far)と近位(Near)との中間にしきい値が設定される。
【００７８】
(Ｂ)フルオートチューニング法（図２５）：
このフルオートチューニング法は検出体つまりワークＷを定置できない場合、例えばコンベアによって搬送されているワークＷのようにワークＷを定置できない場合に効果的に適用できる。
【００７９】
図２５を参照して、先ず、ワークＷ無しの状態（基準面ＢＳ）でＳＥＴスイッチ１２０Ａを長押しする。次に、このＳＥＴスイッチ１２０Ａを押し続けている状態でワークＷを検出する。これにより、基準面ＢＳとワークＷの高さとの中間にしきい値Ａが設定される。
【００８０】
（Ｃ）１点チューニング法（図２６）：
この１点チューニング法は上限（遠位）に検出体つまりワークＷを定置できる場合に効果的に適用できる。
【００８１】
図２６を参照して、ワークＷを位置決めした後にＳＥＴスイッチ１２０Ａを長押しする。これによりワークＷから所定距離だけ近位の位置にしきい値（Ａ）が設定される。この所定距離つまり余裕代は、後に説明する詳細設定で設定することができる。
【００８２】
ウィンドウモード（図２７、図２８）：
このウィンドウモードは、後に説明する詳細設定モードで、光電センサ３００の検出モードの選択肢から「Window」を選択することで設定される。
（１）運用（ＲＵＮ）時の動作：
図２７を参照して、光電センサ３００からの距離が表示部１００に表示される。そして、設定した遠位しきい値（Far）と近位しきい値(Near)とで出力が反転される。
【００８３】
（２）設定：
ウィンドウモードでのしきい値の設定方法は、（Ａ）２点チューニング法（図２７）、（Ｂ）１点チューニング法（図２８）の２種類が用意されている。
【００８４】
(Ａ)２点チューニング法（図２７）：
図２７を参照して、ワークＷを遠位(Far)に位置決めした後にＳＥＴスイッチ１２０Ａを短押しする。次に、ワークＷを近位(Near)に位置決めした後にＳＥＴスイッチ１２０Ａを短押しする。これにより、遠位しきい値(Far)と近位しきい値(Near)とが設定される。
【００８５】
（Ｂ）１点チューニング法（図２８）：
図２８を参照して、ワークＷを遠位(Far)に位置決めした後にＳＥＴスイッチ１２０Ａを長押しする。これにより遠位しきい値(Far)が設定され、また、この遠位しきい値(Far)から所定距離だけ離れた近位しきい値(Near)が設定される。この所定距離の値を変更したいときには、後に説明する詳細設定で行うことができる。
【００８６】
運用（ＲＵＮ）時の表示態様の設定（図２９）：
運用時の表示部１００の表示態様は、光電センサ３００を運用している最中でも設定することができる。光電センサ３００が運用モードにあるとき、アップスイッチ１３０Ｂを長押しすることで表示態様変更モードに入ることができる。
【００８７】
図２９を参照して、表示態様変更モードに入ると、表示部１００には、選択メニューに含まれる項目が上下に２つずつ文字列で表示される。この選択可能な文字列には、（１）Standard、（２）Peak Bottom、（３）Bar（４）Simpleの４つがあり、その各々が表示態様の概要を明示している。アップスイッチ１３０Ｂ又はダウンスイッチ１３０Ｃを短押しすることにより、これらの項目から意図する項目を選択することができる。次にＳＥＴスイッチ１２０Ａを短押しすることで、この選択した表示態様を設定することができる。これにより、運用（ＲＵＮ）中に表示態様を簡単な操作で切り替えることができる。
【００８８】
図２９の（Ｉ）は「Standard」表示態様を設定した例を示す。この表示例はしきい値が一つの場合であり、しきい値が２つ有る場合には、第１しきい値と第２しきい値とが横並びに表示される。図２９の（Ｉ）から分かるように、「Standard」表示態様での画面構成では、現在値「４５６７」が大きな数字で表示され、その下に、相対的に小さな数字でしきい値つまり設定値「２３４５」が表示される。勿論、現在値と設定値とを同じ色で表示してもよいが、異なる色で表示してもよい。
【００８９】
図２９の（II）は「Peak Bottom」表示態様を設定した例を示す。図２９の（II）から分かるように、「Peak Bottom」表示態様での画面構成では、現在値「４５６７」が大きな数字で表示され、その下に、相対的に小さな数字でピーク値「２３４５」とボトム値「６７８９」が横並びに表示される。このピーク値とボトム値とを同じ色で表示してもよいが、異なる色で表示してもよい。ピーク値「２３４５」の左隣りに見られる「Ｐ」は「２３４５」の数値がピーク値であることを意味している。ボトム値「６７８９」の左隣りに見られる「Ｂ」は、「６７８９」の数値がボトム値であることを意味している。
【００９０】
図２９の（III）は「Bar」表示態様を設定した例を示す。図２９の（III）から分かるように、「Bar」表示態様での画面構成では、現在値「１８４５」が大きな数字で表示され、その下に、横方向に延びるバーが表示される。このバーは、ワークＷが上限値と下限値との間のどの位置に位置しているかを意味している。ちなみに、受光量の大小を表示する光電センサでは、このバーを使って受光量の余裕度を表示することができる。
【００９１】
図２９の（IV）は「Simple」表示態様を設定した例を示す。図２９の（IV）から分かるように、「Simple」表示態様での画面構成では、現在値「１８４５」が表示部１００の大部分を占める大きな数字で表示される。なお、図２９の(I)〜(IV)の表示例において、表示部１００の左上に「１」「２」が上下に並んで表示されているが、この「１」、「２」は光電センサ３００の出力チャンネルつまり光電センサ３００の表示部１００に表示されている数値情報が第１チャンネル（ch.１）に関する数値か第２チャンネル（ch.２）に関する数値であるかを意味している。表示中のチャンネル番号を明るく表示する、点滅させるなどユーザが認識し易い表示方法を採用するのがよい。
【００９２】
図２９の(I)〜(IV)を参照して、運用（ＲＵＮ）中に切り替えることのできる表示態様の例から分かるように、各表示態様では、現在値の他に、出力チャンネル、設定値、ボトム値、ピーク値がある。その他にも、後に説明するように、ホールド値、余裕度、設定値が２つあるときには第１、第２の設定値を、運用中の表示態様の中に含めることができる。
【００９３】
図２９を参照して上述したように、運用（ＲＵＮ）中にアップスイッチ１３０Ｂを長押しすることで表示態様変更モードに入ることできるが、この表示態様変更モードでは、「Standard」、「Peak Bottom」などの文字情報によるメニュー案内が表示部１００に表示されることから、ユーザは自分が求める表示態様を選択するのが容易である。また、ＳＥＴスイッチ１２０Ａを押し下げることで、選択した表示態様の画面が表示部１００に表示されることから、その確認も容易である。更に、表示部１００に表示される現在値以外の数値情報に関しては、表示の数値に隣接した位置に、当該数値の意味を直接的に明示するキャラクタが表示されることから、表示部１００に呼び出した画面に表示の数値を直ちに認識することができる。したがって、この表示態様変更モードで表示態様を切り替えている最中で次々と表示部１００に表示される数値が設定値であるのか、ホールド値であるのか、ピーク値であるのか、など、数値の意味の勘違いの発生を防止することができる。
【００９４】
運用（ＲＵＮ）時のしきい値の調整及びその設定（図３０）：
光電センサ３００が運用（ＲＵＮ）モードで動作している最中にしきい値の調整つまり再設定が必要である場合には、この運用モードで直接的にしきい値を調整することができる（マニュアルチューニング）（図３０）。
【００９５】
（Ａ）しきい値が一つの検出モードのとき：
図３０の（Ａ）を参照して、運用（ＲＵＮ）モードで動作しているときにアップスイッチ１３０Ｂ又はダウンスイッチ１３０Ｃを短押しすると、表示部１００は、上に大きな数字で現在値「４５６７」を表示し、その下に設定値「２３４５」を表示するチューニング表示態様になる。変形例として、表示部１００の主なる部分に「設定値」を表示し、この設定値と干渉しない位置、例えば表示部１００の側部や下部に「現在値」を表示してもよい。
【００９６】
表示部１００に表示の設定値は、アップスイッチ１３０Ｂを押すと設定値の数値が大きくなる。また、ダウンスイッチ１３０Ｃを押すと設定値の数値が小さくなる。表示部１００に表示の数値が変化すると、この変化した数値に基づいて光電センサ３００は動作する。所望の数値になったら光電センサ３００を放置することで、その３秒後に、この調整後の数値が設定され、光電センサ３００は、新しく設定したしきい値の下で動作する。光電センサ３００の表示は運用モードに復帰する。
【００９７】
図３０の一番上に描いてある（Ａ）を参照して、運用（ＲＵＮ）モードで正常に光電センサ３００が動作しているときの表示部１００は、そのほぼ全領域を使って現在値を表示する表示形態が採用されている。その下に図示のチューニング画面では、現在値が上に表示され、その下に、しきい値が表示されている。すなわち、運用モードの画面構成とマルチチューニングでの画面構成とが異なっており、しきい値の設定画面では、現在値としきい値とが同時に表示される表示形態が採用されている。しきい値設定画面では、現在値の数値と、しきい値の数値とを同じ大きさの数字で表示してもよいし、しきい値を表示部１００の中央に表示し、これと干渉しない位置に現在値を表示してもよい。更に、表示部１００に表示の設定値、現在値のいずれか一方を相対的に大きな数字で表示し、他方を小さな数字で表示してもよい。
【００９８】
また、図示の例では、現在値が上に表示され、しきい値が下に表示されているが、これに代えて、しきい値を上に表示し、現在値を下に表示してもよい。
【００９９】
更なる変形例として、上述したように、表示部１００の主要部にしきい値を表示し、このしきい値の表示と干渉しない位置、例えば表示部１００の左隅に相対的に小さな数字で現在値を表示する例えば図２を参照して前述した表示形態を採用してもよい。
【０１００】
勿論、現在値の表示色としきい値の表示色とは同じであってもよいが、異なる色で現在値としきい値とを表示するようにしてもよい。また、表示部１００の画面がマニュアルチューニングの表示に切り替わったときに、しきい値を点滅させ、このしきい値を調整してその設定が完了したときに、この点滅を終了してもよい。変形例として、しきい値の調整中とその設定が完了した後とでしきい値の表示色を変えるようにしてもよい。また、しきい値の設定が完了する前はアップダウンのキャラクタ１２２（図１９）を点滅させてもよい。また、しきい値の設定が完了した時点で、アップダウンのキャラクタ１２２の表示を消失させるようにしてもよい。
【０１０１】
（Ｂ）検出モードが「ウィンドウモード」のとき：
図３０の（Ｂ）を参照して、運用（ＲＵＮ）モードで動作しているときにアップスイッチ１３０Ｂ又はダウンスイッチ１３０Ｃを短押しすると、表示部１００は、上に大きな数字で現在値「４５６７」を表示し、その下に第１の設定値「２３４５」、第２の設定値「６７８９」を横並びに表示する表示態様になる。次に、ＳＥＴスイッチ１２０Ａを押すと、第１又は第２の設定値を選択することができる。そして、アップスイッチ１３０Ｂ又はダウンスイッチ１３０Ｃを押すと、選択したしきい値(設定値)の数値が変化する。表示部１００に表示の数値が変化すると、この変化した数値に基づいて光電センサ３００は動作する。第１、第２のしきい値が所望の数値になったら、光電センサ３００を放置することで、その３秒後に、この調整後の数値が設定される。しきい値の調整及びその設定が完了する前は数値を点滅させる又は設定後と設定前とで数値を表示する色を異ならせてもよい。この設定が完了した後は、光電センサ３００は、新しく設定したしきい値の下で動作する。
【０１０２】
この図３０の（Ｂ）の表示例でも、上述した図３０の（Ａ）と同様に、運用（ＲＵＮ）モードにおいて正常に動作しているときには表示部１００のほぼ全領域に現在値を表示する表示態様が採用されている。そして、チューニング画面では、現在値の下に横並びで第１、第２のしきい値を表示する表示形態が設定されている。この場合にも、第１、第２のしきい値のうち選択されたしきい値の表示に関しては上記の図３０（Ａ）で説明した表示方法を採用してもよいのは言うまでもない。
【０１０３】
この第１、第２のしきい値の表示に関して前述した図５〜図７の表示態様を採用してもよい。更なる変形例として、図３を参照して説明した、上下に並んで配置された第１、第２の領域の夫々に第１、第２のしきい値を表示し、表示部１００の左隅に、相対的に小さな数字で現在値を表示する表示形態を採用してもよい。
【０１０４】
（Ｃ）「Out１＋Out２」の入出力が設定されているとき：
図３０の（Ｃ）を参照して、運用（ＲＵＮ）モードで光電センサ３００が正常に動作しているときにアップスイッチ１３０Ｂ又はダウンスイッチ１３０Ｃを短押しすると、表示部１００は、「Ｏｕｔ１」の文字及び出力１のしきい値（設定値）と、「Ｏｕｔ２」の文字及び出力２のしきい値（設定値）とが上下に表示される。アップスイッチ１３０Ｂ又はダウンスイッチ１３０Ｃを短押しすることで、「Ｏｕｔ１」又は「Ｏｕｔ２」を選択することができる。
【０１０５】
そして、ＳＥＴスイッチ１２０Ａを短押しすると、表示部１００は、選択した「Ｏｕｔ１」又は「Ｏｕｔ２」の現在値としきい値とを上下に表示する表示態様になる。この表示態様では、現在値の数値は大きな数字で表示され、その下にしきい値（設定値）の数値が小さな数字で表示される。そして、アップスイッチ１３０Ｂ又はダウンスイッチ１３０Ｃを押すと、選択したしきい値(設定値)の数値が変化する。表示部１００に表示の数値が変化すると、この変化した数値に基づいて光電センサ３００は動作する。所望の数値になったら光電センサ３００を放置することで、その３秒後に、この調整後の数値が設定され、光電センサ３００は、新しく設定したしきい値の下で動作する。勿論、光電センサ３００の表示は運用モードに復帰する。
【０１０６】
図３０の（Ｃ）の場合にも、しきい値の表示に関しては上記の図３０（Ａ）で説明した表示方法を採用してもよいのは言うまでもない。
【０１０７】
詳細設定：
ダウンスイッチ１３０Ｃを長押しすることで運用（ＲＵＮ）モードから詳細設定モードに光電センサの動作を切り替えることができる。詳細設定モードを使って設定可能（選択可能）なメニューを例示的に列挙すると、（１）応答時間、（２）各出力の出力論理、（３）各出力の検出モード、（４）各出力のタイマーの時間、（５）ヒステリシス、（６）受光感度、（７）アナログ下限値、（８）アナログ上限値、（９）出力ホールドの設定又は設定解除、（１０）表示部１００の明るさなどである。
【０１０８】
各設定項目はアップスイッチ１３０Ｂ又はダウンスイッチ１３０Ｃを押すことで遷移する。表示部１００に所望の設定項目が表示されたら、ＳＥＴスイッチ１２０Ａを短押しすることで設定可能なメニューが表示部１００に表示され、この中からアップスイッチ１３０Ｂ又はダウンスイッチ１３０Ｃで選択することができる。また、ヒステリシスのような数値を設定し直す項目の場合にはアップスイッチ１３０Ｂ又はダウンスイッチ１３０Ｃで所望の数値に設定し直すことができる。
【０１０９】
この詳細設定モードは、表示部１００に「詳細設定終了」の文字が表示された状態でＳＥＴスイッチ１２０Ａを短押しすることで終了し、光電センサ３００は運用（ＲＵＮ）モードに復帰する。
【０１１０】
以上、距離設定型光電センサ３００の矩形の表示部１００の表示態様を説明したが、スリム型光電センサの細長い表示部２００であっても実質的に同じである。また、受光量の大小によってワークＷの有無を検出する光電センサの表示に対しても同様である。
【０１１１】
タッチスイッチの他の配置例（図３１〜図３４）：
図３１〜図３４は、細長い表示部２００が適用されるスリム型光電センサ２２０を例示的に示してあるが、以下の説明はボックス型光電センサ３００（矩形の表示部１００）に対しても適用可能である。
【０１１２】
図３１に図示のスリム型光電センサ２２０は、表示部２００の左端に機械式のＳＥＴスイッチ（第１スイッチ）１２０Ａを有している。そして、細長い表示部２００が左右に二分割され、例えば左半分に第２タッチスイッチ１３０Ｂが配置され、右半分に第３タッチスイッチ１３０Ｃが配置されている。
【０１１３】
図３１の（Ｉ）は、表示部２００にしきい値調整画面が表示されている状態を示す。比較的大きな数字の数値「４５６７」は現在値であり、その右側に見られる比較的小さな数字の数値「２３４５」はしきい値である。引き続き図３１（Ｉ）を参照すると、アップ／ダウンの三角のシンボル１２２ｕ、１２２ｄが第２、第３のタッチスイッチ１３０Ｂ、１３０Ｃの部分に表示されているのに注目して欲しい。三角のシンボル１２２ｕ、１２２ｄは、第２、第３のタッチスイッチ１３０Ｂ、１３０Ｃの機能及びその配置位置を明示するために表示部２００に表示される。
【０１１４】
このアップ／ダウンのシンボル１２２ｕ、１２２ｄは、第２、第３のタッチスイッチ１３０Ｂ、１３０Ｃの操作によって設定値（しきい値）のアップダウンや表示画面を前ページ又は後続のページに切り替えることができるとき、つまり第２、第３のタッチスイッチ１３０Ｂ、１３０Ｃがアクティブ、つまりこれらのスイッチ１３０Ｂ、１３０Ｃの操作を光電センサ２２０が受け付けることができる状態のときに表示するのがよい。
【０１１５】
図３１の（II）は、詳細設定モードにおいて応答時間の設定項目が表示部２００に表示されている状態を示す。例えば、この表示画面が表示された光電センサ２２０が、「Response Time」（応答時間）の設定項目から次の設定項目の画面表示に切り替えることを受付ける状態及び／又は応答時間の選択値「２０ms」を確定（決定）すること受け付ける状態にある場合に、第１スイッチ１２０Ａに隣接した表示部２００の左端部に「決定」を意味するシンボル又はキャラクタ１３１を表示し、右端部にページ送りのシンボル又はキャラクタ１３２が表示される。この表示状態では、光電センサ２２０は、第２タッチスイッチ１３０Ｂの操作は受け付けない状態にある。
【０１１６】
図３２は、２つのスイッチで設定操作、アップダウン操作、選択操作など光電センサ２２０のスイッチ操作の全てを行う例を説明するための図である。表示部２００は、左右に区分された第２タッチスイッチ１３０Ｂ、第３タッチスイッチ１３０Ｃを有し、この２つのタッチスイッチ１３０Ｂ、１３０Ｃには、表示部２００の表示画面が切り替わる毎に、必要に応じて異なる機能が割り付けられる。
【０１１７】
細長い表示部２００を二分割して２つのタッチスイッチ１３０Ｂ、１３０Ｃを配置した場合、この細長い表示部２００に対して相対的に大きな面積のタッチスイッチ１３０Ｂ、１３０Ｃを用意することができる。この比較的大きな面積を占める第２、第３のタッチスイッチ１３０Ｂ、１３０Ｃの少なくとも一方に、指先のスライド操作を認識する機能を付与してもよい。勿論、表示部２００を三分割して横並びに３つのタッチスイッチ１３０Ａ、１３０Ｂ、１３０Ｃを配置した場合においても、その少なくとも一つに、指先のスライド操作を認識する機能を付与してもよい。
【０１１８】
これによれば、（１）指先を叩く操作つまりタップ操作（短押し操作）、（２）指先で長時間（例えば３秒以上）押す長押し操作に加えて、（３）指先をスライドさせるスライド操作の３種類の操作の各操作毎に異なる機能を付与することができる。これによりスイッチの数を少なくする（例えば２つにする）ことが可能である。
【０１１９】
また、設定値（しきい値）のアップ、ダウンの量やアップ、ダウンする速度を、指先でタッチスイッチ１３０Ｂ（１３０Ｃ、１３０Ａ）を長押しする、その指先の押圧量や指先の接触面積によって変化させるようにしてもよい。
【０１２０】
また、タッチスイッチ１３０Ｂ（１３０Ｃ、１３０Ａ）を横方向（細長い表示部２００の長手方向）に指先をスライドさせる操作を受け付け、指先をタッチスイッチ１３０Ｂ（１３０Ｃ、１３０Ａ）の上下方向（細長い表示部２００の幅方向）にスライドさせる操作を受け付けないようにしてもよい。
【０１２１】
右から左、あるいは左から右にタッチスイッチ１３０Ｂ（１３０Ｃ、１３０Ａ）に触れたまま指先を移動させるスライド操作を認識したときに、例えば表示のしきい値の値をアップ又はダウンさせるようにしてもよい。具体的に説明すると、例えば指先を右から左にスライド操作したときには、表示のしきい値の値をアップさせ、逆に、指先を左から右にスライド操作したときには、表示のしきい値の値をダウンさせるようにしてもよい。この場合、しきい値の値がアップダウンする速度を、指先のスライド操作の速度に応じて変化させてもよい。素早くスライド操作したときには、しきい値の値がアップダウンする速度を相対的に速め、逆にゆっくりとスライド操作したときには、しきい値の値がアップダウンする速度を相対的に遅くするように設計してもよい。
【０１２２】
また、スライド操作に続いて指を跳ね上げたときには、その跳ね上げた際の速度によって、しきい値の値がアップダウンする速度を変化させてもよい。素早く跳ね上げたときにはしきい値の値がアップダウンする速度を相対的に速め、逆にゆっくりと跳ね上げたときには、しきい値の値がアップダウンする速度を相対的に遅くするように設計してもよい。また、この指先をタッチスイッチ１３０Ｂ（１３０Ｃ、１３０Ａ）から離した後に再度指先でタッチスイッチ１３０Ｂ（１３０Ｃ、１３０Ａ）に触れることで、表示のしきい値のアップダウンが停止するようにしてもよい。これにより、タッチ操作する指先によって隠れてしまう表示を、指先を表示部２００から離すことで目視しながら設定操作を行うことができる。
【０１２３】
他の変形例として、タッチスイッチ１３０Ｂ（１３０Ｃ、１３０Ａ）に触れる指先のスライド移動量を認識して、このスライド移動量に応じてしきい値の値がアップダウンする速度やアップダウンする量を変化させるようにしてもよい。
【０１２４】
タッチスイッチ１３０Ｂ（１３０Ｃ、１３０Ａ）を例に説明したスライド操作に関し、前述した矩形の表示部１００にも適用可能であるのは言うまでもない。上述した第１乃至第３のタッチスイッチ１３０Ａ、１３０Ｂ、１３０Ｃを総称してタッチスイッチ１３０と呼ぶと、表示部１００、２００に表示されている画面が設定値の非設定時のときには、このタッチスイッチ１３０の誤認識防止機能を作動させるようにしてもよい。そして、運用（ＲＵＮ）モードで光電センサ２２０、３００が動作しているときに、タッチスイッチ１３０での例えばスライド操作を認識したときには誤認識防止機能を解除してもよい。この解除により、通常のタップ操作や長押し操作を認識するようになる。また、一定の条件の下で誤認識防止機能を復活させるようにするのが好ましい。例えばタッチスイッチ１３０を一定時間操作しないときには自動的に誤認識防止機能を作動させるようにしてもよい。スライド操作以外に、タッチスイッチ１３０の２カ所での同時タップ操作や、２カ所での交互のタップ操作などを認識したときに誤認識防止機能を解除するようにしてもよい。このとき、誤認識防止機能を解除するための操作以外の操作を認識したときには、表示部１００、２００に誤認識防止機能が作動中である旨の表示や点灯やブザーなどで報知するのがよい。他方、誤認識防止機能を解除するための操作を認識したときに、表示部１００、２００に誤認識防止機能が解除された旨の表示や点灯などの報知を行うのがよい。
【０１２５】
図３２に図示の例では、しきい値「２３４５」の調整を第２、第３のタッチスイッチ１３０Ｂ、１３０Ｃで行うことができるため、数値をダウンさせる機能が割り付けられた第２のタッチスイッチ１３０Ｂの部分にはダウンシンボル１２２ｄが表示され、数値をアップさせる機能が割り付けられた第３のタッチスイッチ１３０Ｃの部分にはアップシンボル１２２ｕが表示される。
【０１２６】
図３１の（II）を参照して前述した例（応答時間の設定）の表示画面が表示部２００に表示されたときには、第２タッチスイッチ１３０Ｂに確定（決定）の機能を割り付け、第３タッチスイッチ１３０Ｃに表示画面の切り替え機能を割り付ければよい。
【０１２７】
図３３は、表示部２００に第１〜第３の３つのタッチスイッチ１３０Ａ、１３０Ｂ、１３０Ｃを設置した例を示す。具体的には、細長い表示部２００が長手方向に三分割されて、この３つの部分に第１、第２、第３の３つのタッチスイッチ１３０Ａ、１３０Ｂ、１３０Ｃが配置されている。
【０１２８】
これら３つのタッチスイッチ１３０Ａ、１３０Ｂ、１３０Ｃにどのような機能を割り付けるかは自在であり、また、表示画面に応じて当該表示画面で必要とされる機能を割り付ければよい。図３３の（Ｉ）から分かるように、図示の例では、前述した「Response Time」（応答時間）の設定画面が図示されている。この設定画面は、中央に位置する第１タッチスイッチ１３０Ａに決定（確定）機能が付与され、左に位置する第２タッチスイッチ１３０Ｂにアップ機能が付与され、右に位置する第３タッチスイッチ１３０Ｃにダウン機能が付与されている。これらの機能を説明するシンボル又はキャラクタ１３１、１２２ｕ、１２２ｄは、表示部２００の下端つまり第１〜第３のタッチスイッチ１３０Ａ〜１３０Ｃの部分よりも下に表示される。勿論、スイッチ機能を説明するシンボル又はキャラクタ１３１、１２２ｕ、１２２ｄを第１〜第３のタッチスイッチ１３０Ａ〜１３０Ｃの部分に表示してもよい。
【０１２９】
図３４に図示の例は上述した図３３に図示の例の変形例である。すなわち、図３４は、表示部２００に第１〜第３の３つのタッチスイッチ１３０Ａ、１３０Ｂ、１３０Ｃを設置した他の例を示す。この図３４に図示の例では、表示部２００の左端部に、第１タッチスイッチ１３０Ａが配置されている。他方、表示部２００の右端部には、第２、第３のタッチスイッチ１３０Ｂ、１３０Ｃが横並びに配置されている。
【０１３０】
各タッチスイッチ１３０Ａ、１３０Ｂ、１３０Ｃの機能を説明するシンボルなどのキャラクタ１３１、１２２ｕ、１２２ｄに加えて、各タッチスイッチ１３０Ａ、１３０Ｂ、１３０Ｃの短押しと長押しとの違いを明示する表示（例えば点灯と点滅による差別化や点滅速度による差別化）やキャラクタ（「Ｓ」（短押しの意味）や「Ｌ」（長押しの意味））を付加的に表示するようにしてもよい。このタッチスイッチ１３０Ａ、１３０Ｂ、１３０Ｃの機能を説明するキャラクタに代えて又はこのキャラクタに加えて文字を表示するようにしてもよい。更に、光電センサのスイッチの一部に機械式のスイッチを含む場合には、当該機械式のスイッチに隣接した位置に当該機械式のスイッチに割り付けられた機能を説明するキャラクタや文字を表示するのが好ましい。
【０１３１】
広く一般的な意味の光電センサにおいて表示部に表示する情報を例示的に列挙すれば次のとおりである。
（１）出力に関しては、ＯＮ/ＯＦＦ、アナログ電流値又はアナログ電圧値、チャンネル番号、Ｌ―ｏｎ／D―ｏｎ設定状態。
（２）現在値に関しては、距離、受光量、一致度、余裕度、チャンネル番号、プリセット後の現在値、シフト後の現在値。
（３）ホールドに関しては、ピーク値、ボトム値。
【０１３２】
（４）設定値に関しては、しきい値、チャンネル番号、下限値、上限値、ウインドウの第１、第２のしきい値。
（５）光電センサの状態に関しては、キーロックの有無、エラー及びワーニングなどの異常状態、外部入力のＯＮ/ＯＦＦ状態、外部入力機能の動作状態、プリセット状態、ＡＰＣ状態、上位機器側との通信状態、連結子機との通信状態、設定されている検出モード。
（６）その他として、表示部の表示の上下反転、横書き／縦書き、タグ表示、表示言語の切り替え、光電センサの形式やシリアル番号。
上記の表示情報のうち時系列に変化する表示は出力のＯＮ/ＯＦＦ、現在値、外部入力である。
【０１３３】
表示部１００、２００の表示方法として、数値表示の場合、その数字の大きさ、色、濃淡、点滅、バー表示、時系列情報の波形表示を挙げることができる。
【０１３４】
運用（ＲＵＮ）モードでボックス型又はスリム型の光電センサが正常に動作しているときの表示部１００、２００の表示態様として、現在値だけの表示、現在値としきい値(設定値)とを同時に表示する以外に次の組み合わせを挙げることができる。
（１）現在値とホールド値の同時表示、
（２）現在値とホールド値と出力状態の同時表示、
（３）現在値としきい値と出力状態の同時表示、
（４）現在値と余裕度の同時表示、
【０１３５】
（５）現在値と余裕度と出力状態の同時表示、
（６）現在値とバー表示の同時表示、
（７）現在値とバー表示と出力状態の同時表示、
（８）第１チャンネルの現在値と第２チャンネルの現在値の同時表示、
（９）第１チャンネルの現在値と第２チャンネルの現在値と出力状態の同時表示など。
【符号の説明】
【０１３６】
１００    矩形の表示部（ボックス型光電センサ用）
１２０Ａ  ボタン式の第１スイッチ（ＳＥＴスイッチ）
１２０Ｂ  ボタン式の第２スイッチ（アップスイッチ）
１２０Ｃ  ボタン式の第３スイッチ（ダウンスイッチ）
１２２ｕ  アップシンボル
１２２ｄ  ダウンシンボル
１３１    決定シンボル
１３２    ページ送りシンボル
１３０Ａ  第１タッチスイッチ（ＳＥＴスイッチ）
１３０Ｂ  第２タッチスイッチ（アップスイッチ）
１３０Ｃ  第３タッチスイッチ（ダウンスイッチ）
２００    細長い表示部（スリム型光電センサ用）
２２０    スリム型光電センサ
３００    実施例のボックス型光電センサ
【図１】
2015082777.tif 000003
【図２】
2015082777.tif 000004
【図３】
2015082777.tif 000005
【図４】
2015082777.tif 000006
【図５】
2015082777.tif 000007
【図６】
2015082777.tif 000008
【図７】
2015082777.tif 000009
【図８】
2015082777.tif 000010
【図９】
2015082777.tif 000011
【図１０】
2015082777.tif 000012
【図１１】
2015082777.tif 000013
【図１２】
2015082777.tif 000014
【図１３】
2015082777.tif 000015
【図１４】
2015082777.tif 000016
【図１５】
2015082777.tif 000017
【図１６】
2015082777.tif 000018
【図１７】
2015082777.tif 000019
【図１８】
2015082777.tif 000020
【図１９】
2015082777.tif 000021
【図２０】
2015082777.tif 000022
【図２１】
2015082777.tif 000023
【図２２】
2015082777.tif 000024
【図２３】
2015082777.tif 000025
【図２４】
2015082777.tif 000026
【図２５】
2015082777.tif 000027
【図２６】
2015082777.tif 000028
【図２７】
2015082777.tif 000029
【図２８】
2015082777.tif 000030
【図２９】
2015082777.tif 000031
【図３０】
2015082777.tif 000032
【図３１】
2015082777.tif 000033
【図３２】
2015082777.tif 000034
【図３３】
2015082777.tif 000035
【図３４】
2015082777.tif 000036
【図３５】
2015082777.tif 000037
【図３６】
2015082777.tif 000038